(57)【要約】【課題】積上げ作業が容易で、積上げ位置にばらつきが生ぜず、仮固定の不要な擁壁用の枠体を提供する。【解決手段】複数の棒材３を積み重ねて平面矩形状の枠部２を形成し、その枠部２の四隅に垂直材４を設けると共に、下端部に最下段の棒材３と平行に下材５を設け、内部に土砂を詰め込んで擁壁とする枠体であって、下材５と後部垂直材４ｂの第一間隔Ｌを、後部垂直材４ｂと後部棒材３ｂの肉厚Ｔとほぼ等しく設定し、下材５と前部棒材３ａの外端距離Ｄを、前部垂直材４ａと後部垂直材４ｂの第二間隔Ｍとほぼ等しく設定し、枠体１を前後同一方向に段状に上下に積み重ねた際に、上枠体１ａの下材５と後部垂直材４ｂの間に、下枠体１ｂの後部垂直材４ｂと後部棒材３ｂが嵌入し、下枠体１ｂの前部垂直材４ａと後部垂直材４ｂの間に、上枠体１ａの前部棒材３ａ，前部垂直材４ａと下材５が嵌入する。【選択図】      図５
2004238944.tif 000002
【特許請求の範囲】
【請求項１】
複数の棒材を前後左右に積み重ねて平面矩形状の枠部を形成し、その枠部の少なくとも四隅に垂直材を設けると共に、下端部に最下段の棒材と平行に下材を設け、内部に土砂を詰め込んで擁壁とする枠体であって、
下材と後部垂直材の第一間隔を、後部垂直材と最下段の後部棒材とを合わせた肉厚とほぼ等しく設定し、下材と最下段の前部棒材の外端距離を、前部垂直材と後部垂直材の内端距離となる第二間隔とほぼ等しく設定し、
枠体を前後同一方向に段状に上下に積み重ねた際に、上枠体の下材と後部垂直材の間に、下枠体の後部垂直材と最上段の後部棒材が嵌入し、下枠体の前部垂直材と後部垂直材の間に、上枠体の最下段の前部棒材，前部垂直材と下材が嵌入するものとしてなることを特徴とする擁壁用枠体。
【請求項２】
前記枠体を前後逆方向に段状に上下に積み重ねた際に、下枠体の前部垂直材と後部垂直材の間に、上枠体の前記最下段の後部棒材と下材が、支持材の肉厚とほぼ等しい第三間隔をあけて侵入するものとし、
前記支持材を、下枠体の前部垂直材と上枠体の前記最下段の後部棒材との間に嵌入させるか、あるいは、下枠体の後部垂直材と上枠体の下材との間に嵌入させるかによって、上枠体と下枠体とで形成される勾配を異なる２種類に決定してなることを特徴とする請求項１に記載の擁壁用枠体。
【請求項３】
前記棒材、垂直材および下材を同一径の丸太材で形成してなることを特徴とする請求項１に記載の擁壁用枠体。
【請求項４】
前記棒材、垂直材、下材および支持材を同一径の丸太材で形成してなることを特徴とする請求項２に記載の擁壁用枠体。
【発明の詳細な説明】
【０００１】
【発明の属する技術分野】
本発明は、法面等に設置し、内部に砕石、栗石、土砂等を詰めて、土砂崩れを防止するための擁壁として使用する枠体に関するものである。
【０００２】
【従来の技術】
従来、例えば、林道脇の法面の補強や、山崩れの防止、あるいは護岸を目的とした擁壁を建造するための手段として、略箱状のカゴ枠を使用する技術が採用されている。
これは、図８に示すような金属製等のカゴ状の枠を、林道の法面等に複数、段状に積み上げて載置し、その中に土砂を詰めて転圧したり、突き固めを行うことによって、当該土砂とカゴ枠とを一体構造として、擁壁とするものである。
【０００３】
このカゴ枠を使用すると、現地の土砂を中に詰めることができるので土砂を、他の場所から搬入する必要がなく、また、複数のカゴ枠を林道等のカーブに沿って配置することにより、直線状だけでなく曲線状の擁壁を容易に建造することができるといった利点を有する。
【０００４】
【発明が解決しようとする課題】
しかしながら、従来のカゴ枠は単なる略箱状であるため、勾配のある擁壁を建造するためには、上下のカゴ枠を設定通り正確にずらして積上げる必要がある。そのため、積上げ作業が厄介であると共に、積上げ位置にばらつきが生じた場合には、勾配が不均一になるといった問題がある。
また、カゴ枠は、単に上下にずらした状態で積み上げられているので、その位置を維持するために仮固定する必要もあり、その作業も面倒であるといった問題がある。
【０００５】
そこで本発明の目的とするところは、積上げ作業が容易で、積上げ位置にばらつきが生ぜず、さらに仮固定する必要のない擁壁用枠体を提供することにある。
【０００６】
【課題を解決するための手段】
上記の目的を達成するために、本発明の請求項１に記載の擁壁用枠体（１）は、複数の棒材（３）を前後左右に積み重ねて平面矩形状の枠部（２）を形成し、その枠部（２）の少なくとも四隅に垂直材（４）を設けると共に、下端部に最下段の棒材（３）と平行に下材（５）を設け、内部に土砂を詰め込んで擁壁とする枠体であって、下材（５）と後部垂直材（４ｂ）の第一間隔（Ｌ）を、後部垂直材（４ｂ）と最下段の後部棒材（３ｂ）とを合わせた肉厚（Ｔ）とほぼ等しく設定し、下材（５）と最下段の前部棒材（３ａ）の外端距離（Ｄ）を、前部垂直材（４ａ）と後部垂直材（４ｂ）の内端距離となる第二間隔（Ｍ）とほぼ等しく設定し、枠体（１）を前後同一方向に段状に上下に積み重ねた際に、上枠体（１ａ）の下材（５）と後部垂直材（４ｂ）の間に、下枠体（１ｂ）の後部垂直材（４ｂ）と最上段の後部棒材（３ｂ）が嵌入し、下枠体（１ｂ）の前部垂直材（４ａ）と後部垂直材（４ｂ）の間に、上枠体（１ａ）の最下段の前部棒材（３ａ）と，前部垂直材（４ａ）と下材（５）が嵌入するものとしてなることを特徴とする。
なお、上記土砂は、砕石や栗石等の石類を含む。
【０００７】
また、請求項２に記載の擁壁用枠体（１）は、前記枠体（１）を前後逆方向に段状に上下に積み重ねた際に、下枠体（１ｂ）の前部垂直材（４ａ）と後部垂直材（４ｂ）の間に、上枠体（１ａ）の前記最下段の後部棒材（３ｂ）と下材（５）が、支持材（６）の肉厚とほぼ等しい第三間隔（Ｎ）をあけて侵入するものとし、前記支持材（６）を、下枠体（１ｂ）の前部垂直材（４ａ）と上枠体（１ａ）の前記最下段の後部棒材（３ｂ）との間に嵌入させるか、あるいは、下枠体（１ｂ）の後部垂直材（４ｂ）と上枠体（１ａ）の下材（５）との間に嵌入させるかによって、上枠体（１ａ）と下枠体（１ｂ）とで形成される勾配（θ）を異なる２種類に決定してなることを特徴とする。
【０００８】
さらに、請求項３に記載の擁壁用枠体（１）は、前記棒材（３）、垂直材（４）および下材（５）を同一径の丸太材で形成してなることを特徴とする。
【０００９】
また、請求項４に記載の擁壁用枠体（１）は、前記棒材（３）、垂直材（４）、下材（５）および支持材（６）を同一径の丸太材で形成してなることを特徴とする。
【００１０】
なお、カッコ内の記号は、図面および後述する発明の実施の形態に記載された対応要素または対応事項を示す。
【００１１】
本発明の請求項１に記載の擁壁用枠体によれば、枠体を前後同一方向に段状に上下に積み重ねた際に、上枠体の下材と後部垂直材の間に、下枠体の後部垂直材と後部棒材が嵌入し、下枠体の前部垂直材と後部垂直材の間に、上枠体の前部棒材と下材が嵌入するように設定しているので、上枠体と下枠体とが嵌入組付きするように積み上げるのみで良い。
従って、上枠体と下枠体の位置関係を調整する必要がなく、積上げ作業が容易となる。
【００１２】
また、上枠体と下枠体とは設定通りに嵌入組付きするので、所定の勾配を容易に形成することができる。さらに、上枠体と下枠体とは嵌入状態（仮固定された状態）で組付きするので、特別な仮固定を行う必要がない。
【００１３】
また、請求項２に記載の発明によれば、請求項１に記載の発明の作用効果に加えて、枠体を前後逆方向に段状に上下に積み重ねた際に、支持材を、下枠体の前部垂直材と上枠体の後部棒材との間に嵌入させるか、あるいは、下枠体の後部垂直材と上枠体の下材との間に嵌入させるかによって、上枠体と下枠体とで形成される勾配を異なる２種類に決定するようにしているので、法面の勾配に対応した勾配を自在に選択することができる。
【００１４】
さらに、請求項３又は４に記載の発明によれば、請求項１または２に記載の発明の作用効果に加えて、棒材、垂直材、下材又はそれに加えて支持材を同一径の丸太材で形成しているので、製造が容易である。
【００１５】
【発明の実施の形態】
図１乃至図４を参照して、本発明の実施形態に係る擁壁用枠体１について説明する。図１は、本発明の実施形態に係る擁壁用枠体１の使用例を示す正面図である。図２は本発明の実施形態に係る擁壁用枠体１を正面図であり、図３はその側面図、図４はその平面図である。
【００１６】
本発明の実施形態に係る擁壁用枠体１は、内部に土砂を詰め込んで林道脇等の擁壁とする枠体であって、長さの異なる二種類の棒材３を複数、前後左右に水平に載置しながら積み重ねて平面長方形の枠部２を形成している。
また、その枠部２の四隅と長尺状棒材３の中間部に垂直材４を設けると共に、下端部に最下段の棒材３と平行に下材５を設けている。
【００１７】
そして、下材５と後部垂直材４ｂの第一間隔Ｌを、後部垂直材４ｂと最下段の後部棒材３ｂとを合わせた肉厚Ｔとほぼ等しく設定し、下材５と最下段の前部棒材３ａの外端距離Ｄを、前部垂直材４ａと後部垂直材４ｂの内端距離となる第二間隔Ｍとほぼ等しく設定している。
【００１８】
これにより、枠体１を前後同一方向に段状に上下に積み重ねた際に、上枠体１ａの下材５と後部垂直材４ｂの間に、下枠体１ｂの後部垂直材４ｂと最上段の後部棒材３ｂが緊密に嵌入するようにしている。同時に、下枠体１ｂの前部垂直材４ａと後部垂直材４ｂの間に、上枠体１ａの最下段の前部棒材３ａ，前部垂直材４ａと下材５が緊密に嵌入するようにしている（図５参照）。
【００１９】
この擁壁用枠体１は、上枠体１ａと下枠体１ｂとを嵌入するように積み上げるのみで良いので、上枠体１ａと下枠体１ｂの位置関係を調整する必要がない。
従って、積上げ作業が容易となる。また、上枠体１ａと下枠体１ｂとは設定通りに嵌入組付きするので、上枠体１ａと下枠体１ｂとで確実に所定の勾配θを形成することができる。さらに、上枠体１ａと下枠体１ｂとは緊密な嵌入状態で組付くので、特別な仮固定を行う必要がなく、よって、設置作業が容易となる。
【００２０】
なお、この擁壁用枠体１は、前後同一方向に積み重ねるのみでなく、前後逆方向に積み重ねて使用することもできる。
そのために、下枠体１ｂの前部垂直材４ａと後部垂直材４ｂの間に、上枠体１ａの最下段の後部棒材３ｂと下材５が、支持材６の肉厚とほぼ等しい第三間隔Ｎをあけて侵入するにように設定している。
【００２１】
従って、支持材６を、下枠体１ｂの前部垂直材４ａと上枠体１ａの最下段の後部棒材３ｂとの間に緊密に嵌入させることもできるし（図６参照）、下枠体１ｂの後部垂直材４ｂと上枠体１ａの下材５との間に緊密に嵌入させることもできる（図７参照）。
【００２２】
前者の場合は、勾配θが緩くなり、逆に、後者の場合には勾配θがきつくなる。従って、支持材６の嵌入位置を選択することによって、法面の勾配に対応した異なる２種類の勾配θを形成することができる。
【００２３】
また、本実施形態に係る擁壁用枠体１は、棒材３、垂直材４、下材５および支持材６の全てを同一径の丸太材（木材）で形成している。従って、枠体１を同一材料で製造することができ、生産性が向上する。
【００２４】
なお、本発明に係る擁壁用枠体１は、丸太木材で形成するのみでなく、角材で形成することや、その他の材料（例えば、金属や樹脂）で形成することができ、その形状や材質は限定されない。
【００２５】
また、本実施形態に係る擁壁用枠体１は、横長の平面長方形としているが、本発明はこれに限定されるものではなく、例えば、縦長の平面長方形や平面正方形とすることもできる。
【００２６】
【発明の効果】
以上のとおり、本発明の請求項１に記載の擁壁用枠体によれば、上枠体と下枠体とを嵌入するように積み上げるのみで良いので、上枠体と下枠体の位置関係を調整する必要がない。
従って、積上げ作業が容易となり、作業性が向上する。
【００２７】
また、上枠体と下枠体とは設定通りに嵌入組付きするので、所定の勾配を容易に形成することができる。さらに、上枠体と下枠体とは嵌入状態で組付くので、特別な仮固定を行う必要がない。
これらにより、設置作業を簡便なものとすることができる。
【００２８】
また、請求項２に記載の発明によれば、請求項１に記載の発明の作用効果に加えて、支持材の嵌入位置を選択することによって、上枠体と下枠体とで形成される勾配を法面の勾配により対応した勾配とすることができる。
従って、あらゆる法面に対応することができる。
【００２９】
さらに、請求項３又は４に記載の発明によれば、請求項１または２に記載の発明の作用効果に加えて、棒材、垂直材、下材又はそれに加えて支持材を同一径の丸太材で形成しているので、製造が容易である。
従って、生産性を高めて、コストの低廉化を図ることができる。
【図面の簡単な説明】
【図１】本発明の実施形態に係る擁壁用枠体の使用例を示す正面図である。
【図２】本発明の実施形態に係る擁壁用枠体を正面図である。
【図３】図２に示す枠体の側面図である。
【図４】図２に示す枠体の平面図である。
【図５】本発明の実施形態に係る擁壁用枠体を前後同一方向で積み重ねた状態を示す側面図である。
【図６】本発明の実施形態に係る擁壁用枠体を前後逆方向で積み重ねた状態を示す側面図である（勾配が緩い形態）。
【図７】本発明の実施形態に係る擁壁用枠体を前後逆方向で積み重ねた状態を示す側面図である（勾配がきつい形態）。
【図８】従来例を示す概略斜視図である。
【符号の説明】
１      擁壁用枠体
１ａ    上枠体
１ｂ    下枠体
２      枠部
３      棒材
３ａ    前部棒材
３ｂ    後部棒材
４      垂直材
４ａ    前部垂直材
４ｂ    後部垂直材
５      下材
６      支持材
Ｌ      第一間隔
Ｍ      第二間隔
Ｎ      第三間隔
Ｄ      外端距離
Ｔ      肉厚
θ      勾配
【図１】
2004238944.tif 000003
【図２】
2004238944.tif 000004
【図３】
2004238944.tif 000005
【図４】
2004238944.tif 000006
【図５】
2004238944.tif 000007
【図６】
2004238944.tif 000008
【図７】
2004238944.tif 000009
【図８】
2004238944.tif 000010